(57)【要約】      （修正有）【課題】倍率を調整する際に、特定の倍率に容易且つ正確に合わせることができ、使い勝手を向上させることができる携帯型顕微鏡を提供する。【解決手段】ズームレンズの光軸を中心に回転してズームレンズを上下させ、倍率を変化させるリード管１８と、リード管１８の周囲に接続され、ズームレバー１２の操作に応じてリード管１８と共に回転するズームリング１６とを備え、クリック機構として、ズームリング１６の外周部の特定の位置に係止部１７ａ、１７ｂが形成されると共に、ズームリング１６の外周部を押さえ、係止部に係合する押さえ部２０が設けられる。【選択図】図２
0003215123.tif 000002
【実用新案登録請求の範囲】
【請求項１】
ズーム機能を備える携帯型顕微鏡であって、
本体内部でレンズの光軸を中心に回転することで、前記レンズの位置を上下させて倍率を変更するリード管と、
前記リード管の周囲に接続し、外周部に設けられたズームレバーの動きに伴って前記リード管と共に回転し、前記外周部の特定の位置に係止部を備えるズームリングと、
前記外周部を押さえて前記係止部に係合する押さえ部とを有することを特徴とする携帯型顕微鏡。
【請求項２】
係止部は、特定の倍率となる位置に設けられていることを特徴とする請求項１記載の携帯型顕微鏡。
【請求項３】
係止部は、ズームリングの外周面に形成された溝であり、
押さえ部は、一端が本体内部に接続し、他端が前記ズームリングの外周を押して、前記溝に一時的に嵌る突出部を備えることを特徴とする請求項１又は２記載の携帯型顕微鏡。
【請求項４】
押さえ部は、先端の突起部をＶ字形状とした板状又は棒状の金属を用いたことを特徴とする請求項３記載の携帯型顕微鏡。
【考案の詳細な説明】
【技術分野】
【０００１】
本考案は、携帯型の顕微鏡（ハンディ顕微鏡）に係り、特に、倍率を調整する際に、特定の倍率に容易且つ正確に合わせることができ、使い勝手を向上させることができる携帯型顕微鏡に関する。
【背景技術】
【０００２】
［先行技術の説明］
従来、野外での観察を容易にするため、小型で軽量の携帯型顕微鏡がある。
従来の携帯型顕微鏡は、倍率を調整するズームレバーを備え、ズームレバーを左右に動かして目盛りに合わせることにより、所望の倍率にセットするようになっている。
【０００３】
しかし、従来の携帯型顕微鏡は、ズームレバーを特定の倍率に固定する機能は備えておらず、特定の倍率に正確に合わせるのは困難であり、特に、倍率を変えながら観察する場合には、倍率合わせの作業が煩雑で不便であった。
【０００４】
［関連技術］
尚、関連する先行技術としては、特開２００１−２０８９８０号公報「顕微鏡」（特許文献１）、特許第４５７６１０３号公報「可変倍率顕微鏡」（特許文献２）、特開平１０−２０６７１９号公報「可変倍率顕微鏡のズームハンドル任意位置クリック機構」（特許文献３）、特許第３４０１９６４号公報「顕微鏡」（特許文献４）がある。
【０００５】
特許文献１には、接眼レンズを備えた鏡筒を上下させて倍率調整を行う小型顕微鏡が記載されている。
特許文献２には、回転軸が光軸に直交するズームハンドルを回して倍率を調整し、特定の倍率でハンドルの動きを規制する顕微鏡が記載されている。
【０００６】
特許文献３には、回転軸が光軸に直交するズームハンドルを回して倍率を調整し、ハンドル軸に固定されたクリック溝部材に、本体に固定された板バネがはまってクリックする顕微鏡が記載されている。
特許文献４には、回転軸が光軸に直交する回転ハンドルに、バネによって取り付けられた鋼球が、本体側の特定位置に設けられた溝にはまってクリックする顕微鏡が記載されている。
【先行技術文献】
【特許文献】
【０００７】
【特許文献１】特開２００１−２０８９８０号公報
【特許文献２】特許第４５７６１０３号公報
【特許文献３】特開平１０−２０６７１９号公報
【特許文献４】特許第３４０１９６４号公報
【考案の概要】
【考案が解決しようとする課題】
【０００８】
上述したように、従来の携帯型顕微鏡では、倍率を調整するズームレバーを特定の倍率に固定する機能は設けられておらず、倍率を正確に合わせるのは困難であり、倍率を変えながら観察する場合には、倍率合わせの作業が煩雑で不便であるという問題点があった。
【０００９】
尚、特許文献２〜４は、屋外で使用可能な携帯型顕微鏡ではない。また、特許文献１は、携帯型の顕微鏡であるものの、ズームレバーを左右に動かすことで倍率を調整するものではなく、ズームレバーが設けられたズームリングの外周部に、特定の倍率となる位置に係止部が形成され、当該ズームリングの外周部を押さえて、係止部に係合する押さえ部を設けることは記載されていない。
【００１０】
本考案は上記実状に鑑みて為されたもので、倍率調整時に、特定の倍率に容易且つ正確に合わせることができ、使い勝手を向上させることができる携帯型顕微鏡を提供することを目的とする。
【課題を解決するための手段】
【００１１】
上記従来例の問題点を解決するための本考案は、ズーム機能を備える携帯型顕微鏡であって、本体内部でレンズの光軸を中心に回転することで、レンズの位置を上下させて倍率を変更するリード管と、リード管の周囲に接続し、外周部に設けられたズームレバーの動きに伴ってリード管と共に回転し、外周部の特定の位置に係止部を備えるズームリングと、外周部を押さえて係止部に係合する押さえ部とを有することを特徴としている。
【００１２】
また、本考案は、上記携帯型顕微鏡において、係止部は、特定の倍率となる位置に設けられていることを特徴としている。
【００１３】
また、本考案は、上記携帯型顕微鏡において、係止部は、ズームリングの外周面に形成された溝であり、押さえ部は、一端が本体内部に接続し、他端がズームリングの外周を押して、溝に一時的に嵌る突出部を備えることを特徴としている。
【００１４】
また、本考案は、上記携帯型顕微鏡において、押さえ部は、先端の突起部をＶ字形状とした板状又は棒状の金属を用いたことを特徴としている。
【考案の効果】
【００１５】
本考案によれば、ズーム機能を備える携帯型顕微鏡であって、本体内部でレンズの光軸を中心に回転することで、レンズの位置を上下させて倍率を変更するリード管と、リード管の周囲に接続し、外周部に設けられたズームレバーの動きに伴ってリード管と共に回転し、外周部の特定の位置に係止部を備えるズームリングと、外周部を押さえて係止部に係合する押さえ部とを有する携帯型顕微鏡としているので、倍率調整の際に、レンズの位置を特定の高さで停止させて、特定の倍率を容易且つ正確に設定することができる効果がある。
【００１６】
また、本考案によれば、係止部は、特定の倍率となる位置に設けられている上記携帯型顕微鏡としているので、頻繁に使用する倍率や代表的な倍率を容易且つ正確に設定することができる効果ある。
【００１７】
また、本考案によれば、係止部は、ズームリングの外周面に形成された溝であり、押さえ部は、一端が本体内部に接続し、他端がズームリングの外周を押して、溝に一時的に嵌る突出部を備える上記携帯型顕微鏡としているので、簡易な構成で低コストで実現することができる効果がある。
【図面の簡単な説明】
【００１８】
【図１】本携帯型顕微鏡の外観図である。
【図２】本携帯型顕微鏡のクリック機構の構成を示す断面説明図である。
【図３】ズームリング１６の構成を示す説明図である。
【図４】板バネ部２１の構成を示す説明図である。
【図５】倍率の調整（１）を示す断面図である。
【図６】倍率の調整（２）を示す断面図である。
【図７】倍率の調整（３）を示す断面図である。
【考案を実施するための形態】
【００１９】
本考案の実施の形態について図面を参照しながら説明する。
［実施の形態の概要］
本考案の実施の形態に係る携帯型顕微鏡（本携帯型顕微鏡）は、ズームレンズの光軸を中心に回転することで、ズームレンズを上下させて倍率を変化させるリード管と、リード管の周囲に接続され、ズームレバーの操作に応じてリード管と共に回転するズームリングとを備え、ズームリングの外周部の特定の位置に係止部が形成されると共に、ズームリングの外周部を押さえ、係止部に係合する押さえ部が設けられているものであり、ズームリングの回転に伴って係止部と押さえ部の位置が一致した場合に、押さえ部が係止部に係合して倍率を固定することができ、係止部を特定の倍率となる位置に形成することにより、倍率調節の際に特定の倍率に容易且つ正確に合わせることができ、利便性を向上させることができるものである。
【００２０】
［本携帯型顕微鏡の外観：図１］
本携帯型顕微鏡の外観について図１を用いて説明する。図１は、本携帯型顕微鏡の外観図である。
図１に示すように、本携帯型顕微鏡は、本体１の上面（平面）に接眼部１１を備え、本体１の上部にズームレバー（倍率調整部）１２と、スイッチ１３とを、中央部の下側に焦点調整ダイヤル（焦点調整部）１４を、下部に対物ガイド部１５を有している。
【００２１】
また、本体１は、本携帯型顕微鏡の外形を構成し、ＡＢＳ（Acrylonitril, Butadiene, Styrene）樹脂等で形成されている。本体１の正面側（図１の左側）内部には、レンズと、倍率や焦点を調整する構成部分が設けられ、背面側（図１の右側）内部には、電池が格納されている。
レンズとしては、接眼レンズ及び対物レンズの他、光軸上を上下して倍率を可変とするズームレンズが設けられている。
【００２２】
接眼部１１は、接眼レンズを備えている。
ズームレバー１２は、本体１の内部に設けられたズームリング１６に設けられ、左右に可動するつまみであり、本体１に形成された開口部から突出している。ユーザーは、ズームレバー１２を左右に動かすことにより、倍率を調整（調節）する。ここでは、正面側から見て左端が最小倍率、右端が最大倍率となっている。
尚、ズームレバー１２の可動範囲の近傍となる本体１には、倍率合わせの目安となる倍率の値（例えば、「１００×」、「１５０×」、「２００×」、「２５０×」）が記載されている。
【００２３】
特に、本携帯型顕微鏡は、倍率調整において、ズームレバー１２を動かしていくと、特定の倍率においてクリック動作を行う（一旦止まる）クリック機構を備えた構成としている。
ズームリング１６の構成及び倍率調整の動作については後述する。
【００２４】
スイッチ１３は、観察対象物を照らすＬＥＤライトのオン／オフを切り替える。ＬＥＤライトは、本体１の下部に設けられている。
焦点調整ダイヤル１４は、ピントの調整を行うものであり、ユーザーが左右に回すことにより本体下部に設けられた対物レンズを上下に移動させて、ピントの調整を行う。
対物ガイド部１５は、アクリル樹脂等の透明部材で形成され、観察対象物の周囲を囲んで保護する形状に形成されている。
【００２５】
そして、本携帯型顕微鏡を用いて観察を行う際には、観察対象物の上に対物レンズが位置するように本携帯型顕微鏡を立てて設置し、スイッチ１３を押してＬＥＤライトを点灯させ、ズームレバー１２を動かして倍率を調整し、更に接眼部１１から覗きながら焦点調整ダイヤル１４を動かしてピントを合わせ、観察を行う。
【００２６】
［クリック機構の構成：図２］
次に、本携帯型顕微鏡の特徴部分であるクリック機構について図２を用いて説明する。図２は、本携帯型顕微鏡のクリック機構の構成を示す断面説明図である。尚、図２では、本体１をズームレバー１２の高さで水平方向に切断し、下から上を見た断面を示している。
また、図２では、本携帯型顕微鏡のクリック機構及び倍率調整に関連した部分のみを示しており、最外側の本体１や、内部に設けられているレンズ等は省略している。
【００２７】
図２に示すように、本携帯型顕微鏡は、倍率調整に関連した構成部分として、ズームレバー１２と、ズームリング１６と、リード管１８とを備えている。
ズームレバー１２は、環状のズームリング１６と一体に構成されており、ズームレバー１２が操作されることにより、ズームリング１６は、本携帯型顕微鏡の光軸を中心として回転する。
【００２８】
リード管１８は、ズームレンズ（図示せず）を上下させて倍率を可変する円筒形状の部材である。
具体的には、リード管１８の内壁には、２本のらせん状の溝（らせん溝）が形成されており、らせん溝にズームレンズを保持する部材（保持部）の突起が摺動可能に係合している。リード管１８のらせん溝は同一形状で、円筒内面において互いに対向して形成されている。図２では、らせん溝は省略している。
【００２９】
更に、リード管１８の外周部分は、ズームリング１６に固定されており、ズームレバー１２の操作によってズームリング１６が回転すると、それに伴ってリード管１８も回転する。そして、リード管１８の内側に設けられたズームレンズの保持部の突起が、らせん溝に沿って移動することにより、保持部に保持されたズームレンズが、リード管１８内の空洞部分を上下に移動する。
具体的には、ズームレンズが下端に位置する場合が最小倍率、上端に位置する場合が最大倍率となる。
このようにして、倍率が調整されるものである。
【００３０】
そして、図２に示すように、本携帯型顕微鏡のクリック機構として、押さえ部２０を備えると共に、ズームリング１６の外周部分に、押さえ部２０と係合する係止部１７（１７ａ、１７ｂ）が形成されている。
クリック機構は、ズームレンズを特定の位置に一時的に固定する構成である。
【００３１】
押さえ部２０は、固定部２２と板バネ部２１とから構成されている。
固定部２２は、板バネ部２１が取り付けられると共に、本体１の内壁に固定されて、押さえ部２０全体を保持する部分である。
板バネ部２１は、例えば、板状又は棒状の金属製のバネであり、先端部分が突出部２１ａとなっている。突出部２１ａは、ズームリング１６側に向かってＶ字型に折り曲げられた形状となっている。
【００３２】
押さえ部２０は、突出部２１ａがズームリング１６の外周部分を軽く押さえた状態で当該外周部分に接触するよう、本体１の内壁に取り付けられている。
そして、ズームレバー１２の操作によってズームリング１６が回転して、係止部１７が押さえ部２０の突出部２１ａが接する位置まで来ると、突出部２１ａが係止部１７に係合して係止し、回転が一旦停止する。
その状態で更に同じ方向又は反対の方向にズームレバー１２を操作すると、突出部２１ａが係止部１７から脱出してズームリング１６は再び回転する。
【００３３】
つまり、本携帯型顕微鏡では、ズームリング１６上で、特定の倍率において突起部２１ａと係合する位置に、係止部１７を形成しておくことにより、倍率調整の際に当該位置でズームリング１６の回転動作を一旦止めることができ、特定の倍率に容易且つ正確に合わせることができるものである。
特定の倍率は、最大倍率と最小倍率の間で、頻繁に使用する倍率が好ましい。図２の例では、２か所の係止部１７を設けているが、より多くても少なくてもよい。
【００３４】
［ズームリング１６：図３］
次に、ズームリング１６の構成について図３を用いて説明する。図３は、ズームリング１６の構成を示す説明図である。
図３に示すように、ズームリング１６は、リード管１８の外側に嵌合した環状の部材であり、リード管１８に固定されている。つまり、ズームリング１６が回転すると、リード管１８も一緒に回転してズームレンズを上下させる。
【００３５】
そして、ズームリング１６の外側には、回転軸に平行な溝として、係止部１７ａ及び１７ｂが形成されている。図３の例では、係止部１７ａ、１７ｂは、ズームリングの上端から下端に亘って形成されているが、突出部２１ａを係止する形状であればよく、もっと短く形成してもよい。
【００３６】
係止部１７は、ズームリングを回して倍率を調整する際に、特定の倍率となる位置に設けられている。
例えば、本携帯型顕微鏡の倍率を１００倍から２５０倍とすると、係止部１７ａは１５０倍、係止部１７ｂは２００倍に対応した位置に形成されている。但し、この倍率に限るものではなく、任意に設定可能である。
尚、ズームレバー１２は、図３の裏側に位置しており、示されていない。
【００３７】
［板バネ部２１：図４］
次に、板バネ部２１の構成について図４を用いて説明する。図４は、板バネ部２１の構成を示す説明図である。
図４に示すように、板バネ部２１は、板状の金属片であり、先端部分がＶ字形状に加工されて、突出部２１ａとなっている。尚、図４の右側には固定部２２が設けられているが、ここでは省略している。
また、板バネ部２１は、板状に限らず、棒状の金属で先端部分をＶ字に加工したものでも構わない。更に、耐久性や弾性が十分であれば、プラスチック等の別の素材で形成してもよい。
【００３８】
［倍率の調整（調節）］
次に、本携帯型顕微鏡における倍率の調整について、図２及び図５〜図７を用いて説明する。図５〜図７は、倍率の調整（１）〜（３）を示す断面図である。図５〜図７は、図２と同様の水平断面図であり、ズームレバー１２の操作によってズームレバー１６が回転していく様子を示している。
【００３９】
［倍率が１００倍の時：図２］
図２では、倍率が最小倍率１００倍の時の状態を示している。この状態では、ズームレバー１２は正面から見て左端に位置しており、押さえ部２０の突出部２１ａは、ズームリング１６の外周部分に押し付けられている（外周部分を押さえている）。
尚、ズームレバー１２が突出する本体１の開口部は、この位置が一方の端部となっているため、ズームレバー１２は、これより左側には移動しない。
【００４０】
［倍率が１５０倍の時：図５］
図１の状態から、ズームレバー１２を右側に動かしていくと、それに伴ってズームリング１６及びリード管１８が回転し、ズームレンズが上昇して倍率が上がっていく。
そして、１５０倍になると、係止部１７ａが突出部２１ａの位置に達して、突出部２１ａが係止部１７ａに係合して（嵌って）、ズームリング１６の回転が一時的に停止する（クリック動作）。
これにより、ユーザーは、ズームレバー１２の微調整を行わなくても、正確に１５０倍に倍率を合わせることができるものである。
【００４１】
［倍率が２００倍の時：図６］
更に、図５の状態からズームレバー１２を右側（正面から見て）に動かすと、突出部２１ａは係止部１７ａから脱出して、再びズームリング１６の外周部分を押さえる状態となり、倍率が２００倍になると、係止部１７ｂに係合してズームリング１６の回転が一旦停止する。
【００４２】
［倍率が２５０倍の時：図７］
そして、図６の状態から更にズームレバー１２を右側（正面から見て）に動かすと、突出部２１ａは係止部１７ｂから脱出して、再びズームリング１６の外周部分を押さえる状態となり、この状態で、ズームリング１６は最大倍率２５０倍まで回転を続ける。
本体１の開口部は、この位置が他方の端部となっており、ズームレバー１２は、これより右側には移動しない。
このようにして、本携帯型顕微鏡の倍率調整が行われるものである。
【００４３】
［実施の形態の効果］
本携帯型顕微鏡によれば、ズームレンズの光軸を中心に回転してズームレンズを上下させ、倍率を変化させるリード管１８と、リード管１８の周囲に接続され、ズームレバー１２の操作に応じてリード管１８と共に回転するズームリング１６とを備え、クリック機構として、ズームリング１６の外周部の特定の位置に係止部１７が形成されると共に、ズームリング１６の外周部を押さえ、係止部１７に係合する押さえ部２０が設けられた携帯型顕微鏡としており、ズームリング１６の回転に伴って係止部１７と押さえ部２０の突出部２１ａの位置が一致した場合に、押さえ部２０の突出部２１ａが係止部１７に係合して、ズームリング１６の回転を一旦停止させて倍率を固定することができ、係止部１７を特定の倍率となる位置に形成することにより、倍率調節の際にズームレバー１２を目盛りに合わせる微調整を行わなくても、特定の倍率に容易且つ正確に合わせることができ、利便性を向上させることができる効果がある。
【００４４】
また、本携帯型顕微鏡によれば、従来の構成に、係止部１７を形成して押さえ部２０を追加するという簡易な変更によって実現でき、小型・軽量という特徴を損なうことなく、スムースな倍率調整が可能な携帯型顕微鏡を低コストで実現できるという効果がある。
【産業上の利用可能性】
【００４５】
本考案は、倍率を調整する際に、特定の倍率に容易且つ正確に合わせることができ、使い勝手を向上させることができる携帯型顕微鏡に適している。
【符号の説明】
【００４６】
１…本体、  １１…接眼部、  １２…ズームレバー、  １３…スイッチ、  １４…焦点調整ダイヤル、  １５…対物ガイド部、  １６…ズームリング、  １７ａ，１７ｂ…係止部、  １８…リード管、  ２０…押さえ部、  ２１…板バネ部、  ２１ａ…突出部、  ２２…固定部
【図１】
0003215123.tif 000003
【図２】
0003215123.tif 000004
【図３】
0003215123.tif 000005
【図４】
0003215123.tif 000006
【図５】
0003215123.tif 000007
【図６】
0003215123.tif 000008
【図７】
0003215123.tif 000009